【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
遊技に関する主な制御を行う主制御手段と、その主制御手段から出力される制御用データに基づいて遊技に関する周辺制御を行う周辺制御手段と、前記主制御手段から遊技状態に応じて出力される駆動指示に基づいて視認可能に状態が変化される可変部材とを備えた遊技機において、
前記主制御手段と前記可変部材及び前記周辺制御手段との間に介在され、前記主制御手段から出力された前記可変部材に対する駆動指示と前記周辺制御手段に対する前記制御用データの読込指示とを保持出力する第１保持出力回路と、
前記主制御手段と前記周辺制御手段との間に介在され、前記主制御手段から出力された前記制御用データを保持出力する第２保持出力回路と、
前記制御用データを前記第２保持出力回路へ出力した後、前記読込指示を前記第１保持出力回路へ出力する読込指示出力手段と、
前記遊技状態に応じた駆動指示を前記第１保持出力回路へ出力するタイミングに応じて、前記読込指示のクリアデータを前記第１保持出力回路へ出力する読込指示クリア手段とを備え、
前記周辺制御手段は、前記読込指示出力手段によって前記読込指示が前記第１保持出力回路へ出力されると、その読込指示より前に第２保持出力回路によって保持出力された制御用データを読み込み、該制御用データに基づく周辺制御を行うことを特徴とする遊技機。
【請求項２】
前記読込指示クリア手段は、定期的に繰り返し実行される前記第１保持出力回路への前記駆動指示の出力タイミングに応じて実行されることを特徴とする請求項１記載の遊技機。
【請求項３】
前記定期的に繰り返し前記第１保持出力回路へ出力される前記駆動指示は、その駆動指示を含む１単位のデータで構成されるものであり、前記第２保持出力回路へ出力される前記読込指示は、前記１単位のデータの中に割り当てられていることを特徴とする請求項２記載の遊技機。
【請求項４】
前記読込指示クリア手段は、少なくとも、前記主制御手段から前記制御用データを前記第２保持出力回路へ出力する前に実行されることを特徴とする請求項１から３のいずれかに記載の遊技機。
【請求項５】
前記第１保持出力回路へ出力される前記駆動指示と前記読込指示とを含む１単位のデータを記憶する出力データ記憶手段と、
前記読込指示クリア手段の実行前に、前記出力データ記憶手段に記憶されているデータをクリアするデータクリア手段と、
そのデータクリア手段によりクリアされた出力データ記憶手段に、前記遊技状態に応じた駆動指示を前記出力データ記憶手段に設定する駆動指示設定手段とを備え、
前記読込指示クリア手段は、前記駆動指示設定手段により駆動指示が設定された前記出力データ記憶手段に記憶されているデータを、前記第１保持出力回路へ出力することを特徴とする請求項１から４のいずれかに記載の遊技機。
【請求項６】
前記主制御手段は、前記読込指示出力手段の実行前に、前記読込指示クリア手段を実行することを特徴とする請求項１から５のいずれかに記載の遊技機。
【手続補正２】
【補正対象書類名】明細書
【補正対象項目名】００１２
【補正方法】変更
【補正の内容】
【００１２】
一方で、遊技状態に応じた駆動指示が第１保持出力回路へ出力されるタイミングに応じて、読込指示クリア手段によって読込指示のクリアデータが第１保持出力回路へ出力される。よって、ノイズが周辺制御手段により読込指示として誤って検出されることを抑制できる。その結果として、周辺制御手段による誤った制御用データの受信が防止されるので、周辺制御手段による正常な周辺制御が確実に行われるのである。
請求項２記載の遊技機は、請求項１記載の遊技機において、前記読込指示クリア手段は、定期的に繰り返し実行される前記第１保持出力回路への前記駆動指示の出力タイミングに応じて実行される。
請求項３記載の遊技機は、請求項２記載の遊技機において、前記定期的に繰り返し前記第１保持出力回路へ出力される前記駆動指示は、その駆動指示を含む１単位のデータで構成されるものであり、前記第２保持出力回路へ出力される前記読込指示は、前記１単位のデータの中に割り当てられている。
請求項４記載の遊技機は、請求項１から３のいずれかに記載の遊技機において、前記読込指示クリア手段は、少なくとも、前記主制御手段から前記制御用データを前記第２保持出力回路へ出力する前に実行される。
請求項５記載の遊技機は、請求項１から４のいずれかに記載の遊技機において、前記第１保持出力回路へ出力される前記駆動指示と前記読込指示とを含む１単位のデータを記憶する出力データ記憶手段と、前記読込指示クリア手段の実行前に、前記出力データ記憶手段に記憶されているデータをクリアするデータクリア手段と、そのデータクリア手段によりクリアされた出力データ記憶手段に、前記遊技状態に応じた駆動指示を前記出力データ記憶手段に設定する駆動指示設定手段とを備え、前記読込指示クリア手段は、前記駆動指示設定手段により駆動指示が設定された前記出力データ記憶手段に記憶されているデータを、前記第１保持出力回路へ出力する。
請求項６記載の遊技機は、請求項１から５のいずれかに記載の遊技機において、前記主制御手段は、前記読込指示出力手段の実行前に、前記読込指示クリア手段を実行する。
【手続補正３】
【補正対象書類名】明細書
【補正対象項目名】００１３
【補正方法】変更
【補正の内容】
【００１３】
請求項１記載の遊技機によれば、所定のタイミングで、読込指示がクリアされるので、周辺制御手段において、ノイズが読込指示として誤検出されることを有効に抑制できるという効果がある。その結果として、誤った制御用データが周辺制御手段に受信されたり、読み込むべき制御用データが読み込まれなかったりすることを防止できるので、周辺制御手段が正常な周辺制御を確実に実行できるという効果がある。
【手続補正４】
【補正対象書類名】明細書
【補正対象項目名】００１４
【補正方法】変更
【補正の内容】
【００１４】
特に、可変部材への駆動指示は、通常、遊技状態に応じて随時出力されるので、読込指示クリア手段による読込指示のクリアを随時行うことができるという効果がある。読込指示が随時クリアされることによって、ノイズが誤って読込指示として検出されることを効果的に抑制できるのである。
請求項２記載の遊技機によれば、請求項１記載の遊技機の奏する効果に加えて、次の効果を奏する。読込指示クリア手段が、定期的に繰り返し実行される第１保持出力回路への駆動指示の出力タイミングに応じて実行されるので、読込指示のクリアデータが、定期的なタイミングで第１保持出力回路へ繰り返し出力される。よって、読込指示のクリアが、定期的なタイミング毎に行われるので、周辺制御手段において、ノイズが読込指示として誤検出されることを有効に抑制できる。その結果として、読込信号が正確に出力され、誤った制御用データが周辺制御手段に受信されたり、読み込むべき制御用データが読み込まれなかったりすることを防止できるので、周辺制御手段が正常な周辺制御を確実に実行できるという効果がある。
請求項３記載の遊技機によれば、請求項２記載の遊技機の奏する効果に加えて、次の効果を奏する。定期的に繰り返し第１保持出力回路へ出力される駆動指示と、第２保持出力回路へ出力される読込指示とが１単位のデータとして取り扱われるので、定期的に第１保持出力回路への駆動指示が出力される毎に、読込指示のクリアデータが、定期的なタイミングで第１保持出力回路へ繰り返し出力されることになる。よって、読込指示のクリアが、定期的なタイミング毎に行われるので、周辺制御手段において、ノイズが読込指示として誤検出されることを有効に抑制できる。その結果として、読込信号が正確に出力され、誤った制御用データが周辺制御手段に受信されたり、読み込むべき制御用データが読み込まれなかったりすることを防止できるので、周辺制御手段が正常な周辺制御を確実に実行できるという効果がある。なお、この請求項３において、「１単位のデータ」は、複数ビットから構成される単位データ（例えば、２ビット、４ビット、１バイト、２バイトなど）を意味する。
請求項４記載の遊技機によれば、請求項１から３のいずれかに記載の遊技機の奏する効果に加えて、次の効果を奏する。読込指示クリア手段が、主制御手段から制御用データが第２保持出力回路へ出力される前に少なくとも実行されるので、読込指示が、少なくとも、制御用データが第２保持出力回路へ出力される前に一旦クリアされる。よって、周辺制御手段は、制御用データの後に読込指示を確実に受信することができる。即ち、周辺制御手段は、ノイズの影響を有効に防止しつつ、制御用データを確実に受信することができる。その結果として、周辺制御手段が正常な周辺制御を確実に実行できるという効果がある。
請求項５記載の遊技機によれば、請求項１から４のいずれかに記載の遊技機の奏する効果に加えて、次の効果を奏する。読込指示クリア手段によって第１保持出力回路へ出力される駆動指示及び読込指示は、出力データ記憶手段に記憶される１単位のデータの中に含まれており、この出力データ記憶手段に記憶されるデータは、データクリア手段によりクリアされた後、駆動指示設定手段により駆動指示を設定してから、読込指示クリア手段によって第１保持出力回路へ出力される。即ち、駆動指示と読込指示とが１単位のデータに含まれ、そのデータを予めクリアしておくことにより、読込指示クリア手段によって出力されるべき読込指示のクリアデータの作成を達成することができるのである。一般的に、駆動指示設定手段による、出力データ記憶手段への駆動指示の設定は、第１保持出力回路への出力のために遊技状態に応じて随時行われる処理なので、読込指示のクリアデータの作成を、随時実行される処理に伴って簡便に行い得るという効果がある。なお、この請求項５において、「１単位のデータ」は、複数ビットから構成される単位データ（例えば、２ビット、４ビット、１バイト、２バイトなど）を意味する。
請求項６記載の遊技機によれば、請求項１から５のいずれかに記載の遊技機の奏する効果に加えて、次の効果を奏する。読込指示クリア手段により、一旦、読込指示がクリアされてから、読込指示出力手段による読込指示が出力されるので、ノイズの影響を受けることなく正確な読込指示を出力することができる。その結果、周辺制御装置は、正確な制御用データを読み込むことができることになり、制御に異常が生じることを防止できるという効果がある。
【手続補正５】
【補正対象書類名】明細書
【補正対象項目名】０４０２
【補正方法】変更
【補正の内容】
【０４０２】
なお、上記実施形態において、請求項１記載の読込指示手段としては、表示コマンド出力処理（図５４参照）におけるＳ１６０６の処理、払出コマンド出力制御処理（Ｓ１３０６）の中で実行されるＳ１６０６に対応する処理が該当する。また、読込指示クリア手段としては、ソレノイドデータ出力制御処理（図５２）におけるＳ１４０４の処理、払出コマンド出力制御処理（Ｓ１３０６）の中で実行されるＳ１４０４に対応する処理が該当する。
また、上記実施形態において、請求項５記載のデータクリア手段としては、ソレノイドデータ出力制御処理（図５２）におけるＳ１４０１の処理が該当する。また、駆動指示設定手段としては、ソレノイドデータ出力制御処理（図５２）におけるＳ１４０２，Ｓ１４０３，Ｓ１４０６，Ｓ１４０７の処理、払出コマンド出力制御処理（Ｓ１３０６）の中で実行されるＳ１４０２，Ｓ１４０３，Ｓ１４０６，Ｓ１４０７に対応する処理が該当する。
【手続補正６】
【補正対象書類名】明細書
【補正対象項目名】０４３７
【補正方法】変更
【補正の内容】
【０４３７】
１０              パチンコ機（遊技機）
７０１            ＭＰＵ（主制御手段）
７１２            ＭＰＵ（周辺制御手段）
７２１            ＭＰＵ（周辺制御手段）
７０３ｄ ＳＳ出力データメモリ（出力データ記憶手段）
７０６            ドライバ回路Ａ（第１保持出力回路）
７０７            ドライバ回路Ｂ（第２保持出力回路）
７０８            ドライバ回路Ｃ（第２保持出力回路）